(57)【要約】【課題】  指に装着した上からグローブをはめて使用でき、グローブの上から咬まれてもグローブを傷つけ難く、口腔周辺組織や歯を傷めることがない開口維持と指のガード行うインナーバイトリングを提供する。【解決手段】  インナーバイトリング１は、人の手の指に装着された上からグローブがはめられ、指が装入される筒形状の筒体部２と、筒体部２の外周に被覆される軟弾性を有する軟弾性体部３と、筒体部２の根本部２ｂ側に繋がれ、手首や隣の指にかけられるストラップ部４とを有し、筒体部２は、先端が閉塞され、先端部側に筒体部２の内外を連通する通気孔６を形成する。【選択図】  図１
2019010295.tif 000002
【特許請求の範囲】
【請求項１】
人の手の指に装着された上からグローブがはめられる、開口維持と咬合から指の保護を行うインナーバイトリングであって、
指が装入される筒形状の筒体部と、
前記筒体部の外周に被覆される軟弾性を有する軟弾性体部とを備えることを特徴とするインナーバイトリング。
【請求項２】
請求項１において、
前記筒体部は、先端が閉塞され、先端部側に前記筒体部の内外を連通する通気孔を形成したことを特徴とするインナーバイトリング。
【請求項３】
請求項１及び２のいずれか１項において、
前記筒体部の根本部側に、ストラップ部を繋ぐことを特徴とするインナーバイトリング。
【請求項４】
請求項１乃至３のいずれか１項において、
前記軟弾性体部は、表面が凹凸面に形成されていることを特徴とするインナーバイトリング。
【請求項５】
請求項１乃至４のいずれか１項において、
前記軟弾性体部は、外周縁部が、傾斜面に形成されていることを特徴とするインナーバイトリング。
【請求項６】
請求項１乃至５のいずれか１項において、
材質や形態により、装着した指を屈曲することができることを特徴とするインナーバイトリング。
【発明の詳細な説明】
【技術分野】
【０００１】
本発明は、口腔内のケア処置等の際に、開口維持と指のガード行う技術に関する。
【背景技術】
【０００２】
口腔内のケアや治療等の際に、開口維持と指のガード行う器具（開口器）が提案されている（特許文献１）。この開口器は、硬質合成樹脂材により円筒形状に形成された外筒内に、軟質の合成樹脂材により円筒形状に形成された筒状クッション材を設けた構成を有する。
【０００３】
この開口器は、例えば医療や介護現場にて施術者が指を筒状クッション材に差し込んだ状態で口腔ケア、治療を行う。その際、口腔内に入れた外筒が歯で咬まれても、施術者の指を傷めることがなく、また口腔周辺組織を傷つけにくい。また、筒状クッション材により差し込んだ指がフィットする。従来の器具とも併用できる。
【先行技術文献】
【特許文献】
【０００４】
【特許文献１】実用新案登録第３１２５７３８号公報
【発明の概要】
【発明が解決しようとする課題】
【０００５】
現在、口腔ケアや治療等を行う場合、施術者等は予め手にグローブをはめた状態で、グローブの上から指に開口器を装着することが多いが、施術後にその都度開口器を消毒する必要がある。このため、開口器等の開口維持と指のガード行う器具を予め指に装着した状態でグローブを手にはめることが望まれる。
【０００６】
しかし、従来の開口器を指に装着した状態でその上から手にフィットするラテックス等で形成された手に密着するグローブをはめた場合、外筒が硬質合成樹脂材で形成されているため、咬んだ歯が外筒に当たってグローブを傷つけ易い。また、外筒の端等が鋭利であると、グローブをはめる際にグローブを傷つける可能性がある。
【０００７】
本発明の目的は、指に装着した上からグローブをはめて使用でき、グローブの上から咬まれてもグローブを傷つけ難く、口腔周辺組織や歯を傷めることがない開口維持と指のガード行うインナーバイトリングを提供することにある。
【課題を解決するための手段】
【０００８】
〔発明１〕  上記目的を達成するために、発明１のインナーバイトリングは、人の手の指に装着された上からグローブがはめられる、開口維持と咬合から指の保護を行うインナーバイトリングであって、指が装入される筒形状の筒体部と、前記筒体部の外周に被覆される軟弾性を有する軟弾性体部とを備える。
【０００９】
〔発明２〕  さらに、発明２のインナーバイトリングは、発明１のインナーバイトリングにおいて、前記筒体部は、先端が閉塞され、先端部側に前記筒体部の内外を連通する通気孔を形成した。
【００１０】
〔発明３〕  さらに、発明３のインナーバイトリングは、発明１及び２のいずれか１のインナーバイトリングにおいて、前記筒体部の根本部側に、ストラップ部を繋ぐ。
【００１１】
〔発明４〕  さらに、発明４のインナーバイトリングは、発明１乃至３のいずれか１のインナーバイトリングにおいて、前記軟弾性体部は、表面が凹凸面に形成されている。
【００１２】
〔発明５〕  さらに、発明５のインナーバイトリングは、発明１乃至４のいずれか１のインナーバイトリングにおいて、前記軟弾性体部は、外周縁部が、傾斜面に形成されている。
【００１３】
〔発明６〕  さらに、発明６のインナーバイトリングは、発明１乃至５のいずれか１のインナーバイトリングにおいて、材質や形態により、装着した指を屈曲することができる。
【発明の効果】
【００１４】
以上説明したように、発明１のインナーバイトリングによれば、インナーバイトリングを指にはめたままグローブの交換が行え、インナーバイトリングの滅菌、消毒はその都度の必要性は少なくなる。また、咬合力が強くても指を傷めることがなく、口腔周辺組織や歯も弾性体部により傷めることがない。さらに、軟弾性体部が軟らかいので、咬みついた歯によりグローブが切れ難くなり、安全性が増す。さらに、自身の指に装着するので器具よりも安定しやすく何かの拍子に自身が外さない限りは外れにくい。さらに、グローブの下に装着するので破折や誤飲のリスクは少ない。
【００１５】
さらに、発明２のインナーバイトリングによれば、指をインナーバイトリングに差し込む際に、先端側の空気が通気孔を通してインナーバイトリングの外に排出されるので、インナーバイトリングをスムーズに装着することができる。
【００１６】
さらに、発明３のインナーバイトリングによれば、ストラップ部を手首や隣の指などに掛けることで、グローブを取り外す際に、インナーバイトリングがグローブ内に脱落することを防止することができる。
【００１７】
さらに、発明４のインナーバイトリングによれば、グローブと軟弾性体部の表面との摩擦力を低く抑制でき、グローブの脱着を容易に行なえることができる。
【００１８】
さらに、発明５のインナーバイトリングによれば、グローブに対する軟弾性体部の摩擦抵抗を少なくし、グローブの脱着をスムーズに行うことができる。
【００１９】
さらに、発明６のインナーバイトリングによれば、装着した指を屈曲することができるので触診がしやすい。
【図面の簡単な説明】
【００２０】
【図１】本発明によるインナーバイトリングの第１実施形態を示す一部破断外観斜視図である。
【図２】図１に示すインナーバイトリングを人差し指に装着した上からグローブをはめた状態を示す図である。
【図３】図１に示すインナーバイトリングを人差し指に装着した上からグローブをはめた状態を示す手の甲から見た平面図である。
【図４】本発明によるインナーバイトリングの第２実施形態を示す一部破断外観斜視図である。
【図５】図４に示すインナーバイトリングを人差し指に装着した上からグローブをはめた状態を示す図である。
【発明を実施するための形態】
【００２１】
以下、本発明を図面に示す実施形態に基づいて詳細に説明する。
〔第１実施形態〕
図１は、本発明によるインナーバイトリングの第１実施形態を示す一部破断外観斜視図である。図２は、図１に示すインナーバイトリングを人差し指に装着した上からグローブをはめた状態を示す図である。図３は、図１に示すインナーバイトリングを人差し指に装着した上からグローブをはめた状態を示す手の甲から見た平面図である。
【００２２】
インナーバイトリング１は、金属、硬質合成樹脂材により円筒形状に形成された筒体部２と、筒体部２の外周面に被覆されたウレタンゴム等の軟弾性の弾性部材で構成される軟弾性体部３と、ゴム紐等で輪状に形成されたストラップ部４により構成される。
【００２３】
筒体部２は、先端部２ａが平坦状の頂部５により閉鎖され、根本部２ｂが開口している。筒体部２は、根本部２ｂ側から先端部２ａに向けて外径が漸減するテーパ形状に形成される。なお、筒体部２の外形形状は、外径が一定の円筒形状であってもよい。
【００２４】
筒体部２は、頂部５の外周部に通気孔６が形成されている。インナーバイトリング１は、図２に示すように、施術者の手（例えば、医師、歯科医師、看護師等）１０の人差し指１１の指先に筒体部２が装着される。指先を筒体部２内に装入する際、筒体部２内の先端部内の空気が通気孔６から筒外に抜け出るため、筒体部２を指先まで装入することができる。筒体部２に対して指をはめる位置は特に規定されないが、図２に示すように、人差し指１１の腹１１ａに通気孔６を合わせて装着すると、空気を抜き易くなる。
【００２５】
筒体部２は、根本部２ｂが近位置指節間関節（ＰＩＰ関節）１２まで装入される長さに設定される。また、筒体部２の内径は、指に軽く押し込んで装着できる程度が望ましい。したがって、内径、長さが異なる複数サイズのインナーバイトリング１を用意することが好ましい。筒体部２の内径としては、ＰＩＰ関節１２の外径を考慮して、１７ｍｍ〜２０ｍｍ程度を例示することができるが、これに限定されるものではない。
【００２６】
なお、図２に示すように、筒体部２の内周面にゴム等で形成されたリング状のスペーサＳを根本部２ｂ側に接着することで、指のサイズが合わなくても筒体部２内に人差し指１１をガタつくことなく保持することができる。
【００２７】
筒体部２の根本部２ｂ側には、ストラップ部４の通し孔７が形成され、ストラップ部４のゴム紐が挿通され、繋がれている。ストラップ部４は、例えば手首や中指等に巻き付け、インナーバイトリング１が装着した人差し指１１から脱落するのを防止する。
【００２８】
軟弾性体部３は、歯よりも柔らかい材料で構成され、例えばウレタンゴム製のシートを筒体部２の外周面に接着剤、両面接着テープ等により接着される。したがって、軟弾性体部３を交換可能とすることができる。勿論、軟弾性体部３を筒体部２の外周に被覆させる方法としては、スプレー法、ディッピング法等を採用してもよい。軟弾性体部３の被覆厚さは、１ｍｍ程度を例示できるが、これに限定されるものではない。咬合力を緩和させることができる厚さ、口腔内を傷つけない厚さを備えていればよい。
【００２９】
本実施形態において、インナーバイトリング１は、図３に示すように、予め人差し指１１に装着された状態でグローブ１３が手１０にはめられる。この場合、グローブ１３と軟弾性部３の摩擦力が高いと、グローブ１３をスムーズにはめることができない可能性がある。したがって、軟弾性部３の表面は、梨地面のように細かな凹凸が形成されている粗い表面とすることで、グローブ１３の内表面との密着を妨げ、スムーズ１３をインナーバイトリング１の上からスムーズにはめることができる。ウレタンゴム製のシートは、表面に無数の微細な穴が形成されているため、インナーバイトリング１の上からグローブ１３をスムーズにはめることができる。
【００３０】
また、軟弾性部３は、通気孔６の周りを切欠形成した通気孔切欠部１４により通気孔６を露出させて空気抜きを可能とする。また、通し孔７の周りを切欠形成した開口部１５により、ストラップ部４のゴム紐を通し孔７に挿通可能とする。
【００３１】
軟弾性部３は、咬みつきの可能性がない筒体部２の頂部５と、根本部２ｂの開口を除いて筒体部２の外周に被覆されるが、先端部２ａの外周１６の肉厚を先端側に向うに従って漸減する傾斜面に形成し、グローブ１３をインナーバイトリング１の上からはめる際の摩擦抵抗をできるだけ小さくしている。また、根本部２ｂの外周１７の肉厚を後端側に向うに従って漸減する傾斜面に形成し、グローブ１３を取り外す際の摩擦抵抗をできるだけ小さくしている。このため、グローブ１３を取り外す際に、インナーバイトリング１がグローブ１３に引きずられてグローブ１３内にインナーバイトリング１が取り残されることを防止する。すなわち、軟弾性体部３の外周縁部は傾斜面に形成されている。
【００３２】
本実施形態によるインナーバイトリング１は、図３に示すように、医師、歯科医師、介護福祉士等が予め手１０の例えば人差し指１１の先に装着し、ストラップ部４を他の指等にかけた状態で、グローブ１３を手１０にはめる。その際、軟弾性部３の表面はグローブ１３に対して低摩擦性を有しているため、グローブ１３はスムーズに手にはめられる。
【００３３】
インナーバイトリング１は例えば半透明性を有するグローブ１３により覆われているので、患者等からインナーバイトリング１の装着が目立たず、患者等はリラックスして開口し、治療等を受けることができる。
【００３４】
また、家庭でも介護者や保護者が使用することができる。ペットにも場合により可能である。
【００３５】
インナーバイトリング１を歯に当てて開口維持を行っている際に、咬合力が強くなり、歯がグローブ１３を介してインナーバイトリング１に喰い込んでも、筒体部２で施術者の指が保護され、軟弾性体部３の軟弾性により、歯を傷めることがない。
【００３６】
また、軟弾性体部３が軟弾性を有していることから、歯との咬み合いでまな板としての機能を果たさないので、グローブ１３が切り裂かれることを防止することができる。
【００３７】
したがって、施術者等は、次に行う口腔内ケア、施術等の際に、グローブ１３を交換するだけで済み、インナーバイトリング１を滅菌、消毒する手間を省くことができる。特に、災害発生時のように、医療環境が悪い状態にあっては、施術者が一つのインナーバイトリング１を指にはめたまま、グローブ１３を交換するだけで次の治療等を行うことができる。
【００３８】
〔第２実施形態〕
図４は、本発明によるインナーバイトリングの第２実施形態を示す一部破断外観斜視図である。図５は、図４に示すインナーバイトリングを人差し指に装着した上からグローブをはめた状態を示す図である。
【００３９】
本実施形態のインナーバイトリング２１は、人差し指１１の付け根まで差し込んで使用される構成で、図５に示すように、中手指節間関節（ＭＰ関節）２２と、ＰＩＰ関節１２との間に装着される。ストラップ部２５は第１実施形態のストラップ部４と同一であるため、その説明は省略する。
【００４０】
インナーバイトリング２１は、金属、硬質合成樹脂材により円筒形状に形成された筒体部２３と、筒体部２３の外周面に被覆されたウレタンゴム等の軟弾性の弾性部材で構成される軟弾性体部２４と、ゴム紐等で輪状に形成されたストラップ部２５により構成される。
【００４１】
筒体部２３は、内径が一定の円筒形状に形成され、先端部２３ａには先端側を開放した湾曲形状に切欠かれた上第１切欠部２６と上第２切欠部２７が対向して形成される。根本部２３ｂには、根本側を開放した湾曲形状に切欠かれた下切欠部２８が形成される。第１上切欠部２６と下切欠部２８は、同一側面に上下離隔して形成される。なお、下切欠部２８の対向面には同形状の切欠部を設けていないが、設けてもよい。
【００４２】
図５に示すように、インナーバイトリング２１は、筒体部２３の上第１切欠部２６と上第２切欠部２７を人差し指１１の側面側に位置するようにして装着される。また、下切欠部２８は人差し指１１と中指２９との間の股に差し込む。上第１切欠部２６、上第２切欠部２７、下切欠部２８により、ＭＰ関節２２と、ＰＩＰ関節１２の動きを阻害せず、人差し指１１の自由な動きを保証する。
【００４３】
軟弾性体部２４は、第１実施形態の軟弾性体部３と同様に、ウレタンゴム製のシートを筒体部２３の外周面に取り外し可能に接着されて構成される。軟弾性体部２４は、筒体部２３の先端部２３ａおよび根本部２３ｂの開口縁に沿ってウレタンゴム製のシートが切りかかれる。ウレタンゴム製のシートの切欠縁端部は、傾斜面に形成され、グローブ１３の装着および取り外しの際に、第１実施形態と同様に、グローブ１３のスムーズな装着と取り外しに支障を来さないようにしている。
【００４４】
ストラップ部２５は、ゴム紐を筒体部２３に形成した２つの通し孔７および通し孔７の周りに形成した軟弾性体部２４の不図示の開口部を通して繋がれている。
【００４５】
本実施形態のインナーバイトリング２１によれば、第１実施形態と同様の効果が得られる他、人差し指１１のＭＰ関節２２とＰＩＰ関節１２が歯に当たるように、指を口腔内の深くまで装入して施術等を施す場合、人差し指１１が咬まれることを保護することができる。また、指先が出ているため、場合により触診も可能である。特に、本実施形態のように、材質や形態により、装着した指を屈曲することができるように構成すれば触診がしやすい。
【符号の説明】
【００４６】
１、２１…インナーバイトリング、  ２、２３…筒体部、  ２ａ、２３ａ…先端部、  ２ｂ、２３ｂ…根本部、  ３、２４…軟弾性体部、  ４、２５…ストラップ部、  ５…頂部、  ６…通気孔、  ７…通し孔、  １０…施術者の手、  １１…人差し指、  １１ａ…腹、  １２…近位置指節間関節（ＰＩＰ関節）、  １３…グローブ、  １４…通気孔切欠部、  １５…開口部、  １６、１７…外周、  ２２…中手指節間関節（ＭＰ関節）、  ２６…上第１切欠部、  ２７…上第２切欠部、  ２８…下切欠部、  ２９…中指、  Ｓ…スペーサ
【図１】
2019010295.tif 000003
【図２】
2019010295.tif 000004
【図３】
2019010295.tif 000005
【図４】
2019010295.tif 000006
【図５】
2019010295.tif 000007
【手続補正書】
【提出日】平成29年10月5日(2017.10.5)
【手続補正１】
【補正対象書類名】特許請求の範囲
【補正対象項目名】請求項１
【補正方法】変更
【補正の内容】
【請求項１】
人の手の指に装着された上からグローブがはめられる、開口維持と咬合から指の保護を行うインナーバイトリングであって、
指が装入される筒形状の硬質の筒体部と、
前記筒体部の外周に被覆される軟弾性を有する軟弾性体部とを備えることを特徴とするインナーバイトリング。
【手続補正２】
【補正対象書類名】特許請求の範囲
【補正対象項目名】請求項２
【補正方法】変更
【補正の内容】
【請求項２】
請求項１において、
前記筒体部は、先端が閉塞され、先端部側の外周部に前記筒体部の内外を連通する通気孔を形成したことを特徴とするインナーバイトリング。